(57)【要約】【課題】  使用するユーザに応じて適切な辞書ＤＢを簡単に起動することが可能な情報表示制御装置等を提供すること。【解決手段】  電源オフ時に使用対象者が割り振られた何れかの辞書起動キー１７をキー操作することにより、電源オン処理が実行されて、当該辞書起動キー１７に割り振られた使用対象者が現使用対象者に設定される。表示される辞書検索画面Ｗ１０では、設定された現使用対象者用として各辞書起動キー１７に割り当てられている辞書ＤＢの辞書名が、辞書起動キー１７のキー配列に従って表示される。例えば、国語キー１７ａに対してキー操作を行うと、当該現使用対象者用として国語キー１７ａに割り当てられている学習国語辞典の辞書ＤＢが起動される。【選択図】図１１
2006091992.tif 000002
【特許請求の範囲】
【請求項１】
複数の辞書起動キーと、
見出語と説明情報とが対応付けられた辞書情報を複数記憶する辞書記憶手段と、
使用対象者別に、前記各辞書起動キーそれぞれの操作時に起動する辞書を設定した起動辞書設定情報を記憶する対象者別設定記憶手段と、
ユーザ操作に従って、使用対象者を指定する対象者指定手段と、
この対象者指定手段により指定された使用対象者に応じて、前記起動辞書設定情報をもとに各辞書起動キーがキー操作された際に起動する辞書情報の割り当てを変更する辞書割当手段と、
辞書起動キーに対するキー操作に応じて、そのキー操作された辞書起動キーに割り当てられている辞書情報を検索対象の辞書情報に設定する検索辞書設定手段と、
前記検索対象の辞書情報に含まれる見出語をもとに辞書引き処理を行い、対応する説明情報を読み出して表示する制御を行う説明情報表示制御手段と、
を備えることを特徴とする情報表示制御装置。
【請求項２】
辞書種類と、当該辞書種類に属する前記辞書記憶手段に記憶されている辞書情報との対応関係を記憶する辞書種類記憶手段、を更に備え、
前記各辞書起動キーは、それぞれが前記辞書種類の何れかに対応するキーであり、
前記起動辞書設定情報は、使用対象者別に、前記辞書起動キーそれぞれに対応する辞書種類と、前記辞書種類記憶手段により記憶された当該辞書種類に属する辞書情報のうちの一の辞書情報との対応関係が設定された情報であることを特徴とする請求項１に記載の情報表示制御装置。
【請求項３】
前記辞書種類記憶手段は、通信回線を介して接続される他の装置に記憶された辞書情報と、当該辞書情報が属する辞書種類とを更に記憶しており、
前記説明情報表示制御手段は、前記検索辞書設定手段により他の装置に記憶された辞書情報が検索対象の辞書情報に設定された場合に、当該他の装置に通信接続して辞書引き処理を行わせることにより、見出語をもとに辞書引きされた説明情報を取得する説明情報取得手段、を有することを特徴とする請求項２に記載の情報表示制御装置。
【請求項４】
前記起動辞書設定情報として設定されている前記各辞書起動キーそれぞれのキー操作時に起動する辞書情報を、当該辞書起動キーに対応する辞書種類に属する辞書情報の中から改めて選択することにより、前記対象者別設定記憶手段に記憶されている起動辞書設定情報を変更する設定変更手段を更に備えることを特徴とする請求項２又は３に記載の情報表示制御装置。
【請求項５】
前記各辞書起動キーに、使用対象者を対応付ける使用対象者キー対応付け手段と、
電源オフ時の待機電源によって駆動し、前記各辞書起動キーの何れかのキー操作を検知する検知手段と、
この検知手段による検知によって電源オン処理を行うオン処理手段と、
を更に備え、
前記対象者指定手段は、前記オン処理手段による電源オン処理時に、前記検知手段により検知された辞書起動キーに対応付けられている使用対象者を指定する電源オン時指定手段を有することを特徴とする請求項１〜４の何れか一項に記載の情報表示制御装置。
【請求項６】
使用対象者用の認証データを記憶する認証データ記憶手段、を更に備え、
前記対象者指定手段は、ユーザ操作によって入力された認証データを前記認証データ記憶手段により記憶された認証データと比較することで使用対象者の認証を行って、使用対象者の指定の許否を判断する対象者認証手段、を有することを特徴とする請求項１〜５の何れか一項に記載の情報表示制御装置。
【請求項７】
前記起動辞書設定情報は、学校別の学生を使用対象者として当該学校別の辞書情報を設定した情報を含み、
学校名を入力する学校名入力手段、を更に備え、
前記辞書割当手段は、前記学校名入力手段により入力された学校名に応じた辞書情報を割り当てる学校名別辞書割当手段、を有することを特徴とする請求項１〜６の何れか一項に記載の情報表示制御装置。
【請求項８】
前記使用対象者の学年又は生年を入力する入力手段と、
日時を計時する計時手段と、
前記入力手段により入力された前記使用対象者の学年又は生年を、入力された時の日付と対応づけて記憶する使用対象者年記憶手段と、
前記各辞書起動キーに、使用対象者を対応付ける使用対象者キー対応付け手段と、
電源オフ時の待機電源によって駆動し、前記各辞書起動キーの何れかのキー操作を検知する検知手段と、
この検知手段による検知によって電源オン処理を行うオン処理手段と、
このオン処理手段による電源オン処理時に、前記使用対象者年記憶手段に記憶された日付と、当該日付に対応づけて記憶された前記使用対象者の学年又は生年と、前記検知手段による電源オン処理時に新たに検知された日付とに基づいて、辞書起動キーに対応付けられている使用対象者が新学年になったか否かを判別する新学年判別手段と、
この新学年判別手段により新学年になったと判別された場合に、当該判別された使用対象者について設定されている前記各辞書起動キーそれぞれのキー操作時に起動する辞書情報を、当該辞書起動キーに対応する辞書種類に属する他の辞書情報に変更することにより、前記対象者別設定記憶手段に記憶されている起動辞書設定情報を変更する新学年時設定変更手段と、
を更に備えることを特徴とする請求項２又は３に記載の情報表示制御装置。
【請求項９】
複数の辞書起動キーを有する入力装置と接続されたコンピュータに、
見出語と説明情報とが対応付けられた辞書情報を複数記憶する辞書記憶機能と、
使用対象者別に、前記各辞書起動キーそれぞれの操作時に起動する辞書情報を設定した起動辞書設定情報を記憶する対象者別設定記憶機能と、
ユーザ操作に従って、使用対象者を指定する対象者指定機能と、
この対象者指定機能により指定された使用対象者に応じて、前記起動辞書設定情報をもとに各辞書起動キーがキー操作された際に起動する辞書情報の割り当てを変更する辞書割当機能と、
辞書起動キーに対するキー操作に応じて、そのキー操作された辞書起動キーに割り当てられている辞書情報を検索対象の辞書情報に設定する検索辞書設定機能と、
前記検索対象の辞書情報に含まれる見出語をもとに辞書引き処理を行い、対応する説明情報を読み出して表示する制御を行う説明情報表示制御機能と、
を実現させるためのプログラム。
【発明の詳細な説明】
【技術分野】
【０００１】
本発明は、情報表示制御装置及びプログラムに関する。
【背景技術】
【０００２】
従来から、国語辞典、漢和辞典、英和辞典、和英辞典、百科事典といった複数の辞書データベース（Data Base；以下「ＤＢ」と言う。）が内蔵された電子辞書と呼ばれる情報表示制御装置が知られている。また、この電子辞書において、内蔵される辞書ＤＢのうち、いくつかの辞書ＤＢに対応して、当該辞書ＤＢをワンタッチで起動することが可能な辞書起動キーを備えたものが知られている。
【０００３】
一方で、パーソナルコンピュータの使用において、使用する個人独自の環境情報（例えば、日本語変換に利用するソフト、使用するプリンター、文字の書式や書体、画面表示の色合い、よく利用するインターネットのアドレスやメールの宛先等）が記憶されたＩＣカードを用いて起動管理を行うシステムが知られている。このシステムによれば、ＩＣカードに記憶された環境情報に基づき、パーソナルコンピュータのシステム環境を、使用する個人独自の環境に設定することができる（特許文献１参照）。
【特許文献１】特開２０００−４７７４８号公報
【発明の開示】
【発明が解決しようとする課題】
【０００４】
上記したように、電子辞書の備える辞書起動キーによれば、当該辞書起動キーに割り当てられている辞書ＤＢをワンタッチで起動することができる。しかしながら、電子辞書を、複数のユーザが使用することを想定した場合には、以下のような問題があった。すなわち、辞書起動キーには、キー操作に応じて起動する辞書ＤＢが固定的に割り当てられているため、使用するユーザに応じて、当該ユーザにあった辞書ＤＢを起動することができず、使い勝手が悪かった。また、特許文献１を適用しても、あくまで個人独自のシステム環境に過ぎない。したがって、辞書起動キーに対するキー操作に関する問題は解決できなかった。
【０００５】
本発明は、上記した従来の問題に鑑みて為されたものであり、使用するユーザに応じて適切な辞書ＤＢを簡単に起動することが可能な情報表示制御装置等を提供することを目的とする。
【課題を解決するための手段】
【０００６】
以上の課題を解決するための請求項１に記載の発明の情報表示制御装置は、
複数の辞書起動キー（例えば、図１（ｂ）に示す国語キー１７ａ，漢和キー１７ｂ，英和キー１７ｃ，和英キー１７ｄ）と、
見出語と説明情報とが対応付けられた辞書情報を複数記憶する辞書記憶手段（例えば、図３に示す内蔵辞書ＤＢ９００）と、
使用対象者別に、前記各辞書起動キーそれぞれの操作時に起動する辞書情報を設定した起動辞書設定情報を記憶する対象者別設定記憶手段（例えば、図６に示す使用対象者別起動辞書データ８２０）と、
ユーザ操作に従って、使用対象者を指定する対象者指定手段（例えば、図２に示す入力装置２００；図８に示すステップｂ１０〜ｂ５０）と、
この対象者指定手段により指定された使用対象者に応じて、前記起動辞書設定情報をもとに各辞書起動キーがキー操作された際に起動する辞書情報の割り当てを変更する辞書割当手段（例えば、図２に示すＣＰＵ１００；図７に示すステップａ８０〜ａ１１０）と、
辞書起動キーに対するキー操作に応じて、そのキー操作された辞書起動キーに割り当てられている辞書情報を検索対象の辞書情報に設定する検索辞書設定手段（例えば、図２に示すＣＰＵ１００；図９に示すステップｃ１０〜ｃ６０）と、
前記検索対象の辞書情報に含まれる見出語をもとに辞書引き処理を行い、対応する説明情報を読み出して表示する制御を行う説明情報表示制御手段（例えば、図２に示すＣＰＵ１００；図９に示すステップｃ６０〜ｃ１３０）と、
を備えることを特徴としている。
【０００７】
また、請求項９に記載の発明のプログラムは、
複数の辞書起動キー（例えば、図１（ｂ）に示す国語キー１７ａ，漢和キー１７ｂ，英和キー１７ｃ，和英キー１７ｄ）を有する入力装置と接続されたコンピュータに、
見出語と説明情報とが対応付けられた辞書情報を複数記憶する辞書記憶機能（例えば、図３に示す内蔵辞書ＤＢ９００）と、
使用対象者別に、前記各辞書起動キーそれぞれの操作時に起動する辞書情報を設定した起動辞書設定情報を記憶する対象者別設定記憶機能（例えば、図６に示す使用対象者別起動辞書データ８２０）と、
ユーザ操作に従って、使用対象者を指定する対象者指定機能（例えば、図２に示す入力装置２００；図８に示すステップｂ１０〜ｂ５０）と、
この対象者指定機能により指定された使用対象者に応じて、前記起動辞書設定情報をもとに各辞書起動キーがキー操作された際に起動する辞書情報の割り当てを変更する辞書割当機能（例えば、図２に示すＣＰＵ１００；図７に示すステップａ８０〜ａ１１０）と、
辞書起動キーに対するキー操作に応じて、そのキー操作された辞書起動キーに割り当てられている辞書情報を検索対象の辞書情報に設定する検索辞書設定機能（例えば、図２に示すＣＰＵ１００；図９に示すステップｃ１０〜ｃ６０）と、
前記検索対象の辞書情報に含まれる見出語をもとに辞書引き処理を行い、対応する説明情報を読み出して表示する制御を行う説明情報表示制御機能（例えば、図２に示すＣＰＵ１００；図９に示すステップｃ６０〜ｃ１３０）と、
を実現させるためのプログラムである。
【０００８】
また、請求項２に記載の発明は、請求項１に記載の情報表示制御装置において、
辞書種類と、当該辞書種類に属する前記辞書記憶手段に記憶されている辞書情報との対応関係を記憶する辞書種類記憶手段（例えば、図５に示す辞書分類テーブル８１０）、を更に備え、
前記各辞書起動キーは、それぞれが前記辞書種類の何れかに対応するキーであり、
前記起動辞書設定情報は、使用対象者別に、前記辞書起動キーそれぞれに対応する辞書種類と、前記辞書種類記憶手段により記憶された当該辞書種類に属する辞書情報のうちの一の辞書情報との対応関係が設定された情報（例えば、図６に示す使用対象者別起動辞書データ８２０の起動辞書割当情報８２８）であることを特徴としている。
【０００９】
また、請求項３に記載の発明は、請求項２に記載の情報表示制御装置において、
前記辞書種類記憶手段は、通信回線を介して接続される他の装置に記憶された辞書情報と、当該辞書情報が属する辞書種類とを更に記憶しており（例えば、図５に示す辞書分類テーブル８１０のレコードＬ１４）、
前記説明情報表示制御手段は、前記検索辞書設定手段により他の装置に記憶された辞書情報が検索対象の辞書情報に設定された場合に、当該他の装置に通信接続して辞書引き処理を行わせることにより、見出語をもとに辞書引きされた説明情報を取得する説明情報取得手段（例えば、図２に示すＣＰＵ１００；図９に示すステップｃ１１０〜ｃ１３０）、を有することを特徴としている。
【００１０】
また、請求項４に記載の発明は、請求項２又は３に記載の情報表示制御装置において、
前記起動辞書設定情報として設定されている前記各辞書起動キーそれぞれのキー操作時に起動する辞書情報を、当該辞書起動キーに対応する辞書種類に属する辞書情報の中から改めて選択することにより、前記対象者別設定記憶手段に記憶されている起動辞書設定情報を変更する設定変更手段（例えば、図２に示すＣＰＵ１００；図７に示すステップａ８０〜ａ１１０）を更に備えることを特徴としている。
【００１１】
また、請求項５に記載の発明は、請求項１〜４の何れか一項に記載の情報表示制御装置において、
前記各辞書起動キーに、使用対象者を対応付ける使用対象者キー対応付け手段（例えば、図２に示すＣＰＵ１００；図７に示すステップａ１０〜ａ４５）と、
電源オフ時の待機電源によって駆動し、前記各辞書起動キーの何れかのキー操作を検知する検知手段（例えば、図２に示すＣＰＵ１００；図８に示すステップｂ２０）と、
この検知手段による検知によって電源オン処理を行うオン処理手段（例えば、図２に示すＣＰＵ１００；図８に示すステップｂ１０〜ｂ１５）と、
を更に備え、
前記対象者指定手段は、前記オン処理手段による電源オン処理時に、前記検知手段により検知された辞書起動キーに対応付けられている使用対象者を指定する電源オン時指定手段（例えば、図２に示すＣＰＵ１００；図８に示すステップｂ５０）を有することを特徴としている。
【００１２】
また、請求項６に記載の発明は、請求項１〜５の何れか一項に記載の情報表示制御装置において、
使用対象者用の認証データを記憶する認証データ記憶手段（例えば、図６に示す使用対象者別起動辞書データ８２０；図７に示すステップａ６０〜ａ７０）、を更に備え、
前記対象者指定手段は、ユーザ操作によって入力された認証データを前記認証データ記憶手段により記憶された認証データと比較することで使用対象者の認証を行って、使用対象者の指定の許否を判断する対象者認証手段（例えば、図２に示すＣＰＵ１００；図８に示すステップｂ６０〜ｂ８０）、を有することを特徴としている。
【００１３】
また、請求項７に記載の発明は、請求項１〜６の何れか一項に記載の情報表示制御装置において、
前記起動辞書設定情報は、学校別の学生を使用対象者として当該学校別の辞書情報を設定した情報（例えば、図１５に示す使用対象者別起動辞書データ８３０の起動辞書割当情報８３６）を含み、
学校名を入力する学校名入力手段（例えば、図２に示す入力装置２００；図１７に示すステップｄ７０）、を更に備え、
前記辞書割当手段は、前記学校名入力手段により入力された学校名に応じた辞書情報を割り当てる学校名別辞書割当手段（例えば、図２に示すＣＰＵ１００；図１７に示すステップｄ１００〜ｄ１１０）、を有することを特徴としている。
【００１４】
また、請求項８に記載の発明は、請求項２又は３に記載の情報表示制御装置において、
前記使用対象者の学年又は生年を入力する入力手段（例えば、図２に示す入力装置２００；図２１に示すステップｅ６０〜ｅ７０）と、
日時を計時する計時手段（例えば、図２に示す内蔵時計１０００）と、
前記入力手段により入力された前記使用対象者の学年又は生年を、入力された時の日付と対応づけて記憶する使用対象者年記憶手段（例えば、図２に示すＣＰＵ１００：図２０に示すステップｅ７５）と、
前記各辞書起動キーに、使用対象者を対応付ける使用対象者キー対応付け手段（例えば、図２に示すＣＰＵ１００；図７に示すステップａ１０〜ａ４５）と、
電源オフ時の待機電源によって駆動し、前記各辞書起動キーの何れかのキー操作を検知する検知手段（例えば、図２に示すＣＰＵ１００；図８に示すステップｂ２０）と、
この検知手段による検知によって電源オン処理を行うオン処理手段（例えば、図２に示すＣＰＵ１００；図８に示すステップｂ１０〜ｂ１５）と、
このオン処理手段による電源オン処理時に、前記使用対象者年記憶手段に記憶された日付と、当該日付に対応づけて記憶された前記使用対象者の学年又は生年と、前記検知手段による電源オン処理時に新たに検知された日付とに基づいて、辞書起動キーに対応付けられている使用対象者が新学年になったか否かを判別する新学年判別手段（例えば、図２に示すＣＰＵ１００；図２２に示すステップｆ９０）と、
この新学年判別手段により新学年になったと判別された場合に、当該判別された使用対象者について設定されている前記各辞書起動キーそれぞれのキー操作時に起動する辞書情報を、当該辞書起動キーに対応する辞書種類に属する他の辞書情報に変更することにより、前記対象者別設定記憶手段に記憶されている起動辞書設定情報を変更する新学年時設定変更手段（例えば、図２に示すＣＰＵ１００；図２２に示すステップｆ１００〜ｆ１３０）と、
を更に備えることを特徴としている。
【発明の効果】
【００１５】
請求項１又は９に記載の発明によれば、指定された使用対象者に応じて、各辞書起動キーそれぞれの操作時に起動する辞書情報を設定した起動辞書設定情報をもとに各辞書起動キーがキー操作された際に起動する辞書情報の割り当てを変更することができる。そして、辞書起動キーに対するキー操作が為された場合には、そのキー操作された辞書起動キーに割り当てられている辞書情報を検索対象の辞書情報に設定し、この検索対象の辞書情報に含まれる見出語をもとに辞書引き処理を行うことができる。これにより、辞書起動キーに対するキー操作によって、使用対象者に応じた辞書ＤＢを簡単に起動することができ、使い勝手を向上させることができる。
【００１６】
請求項２に記載の発明によれば、辞書起動キーに対するキー操作が為された場合に起動する辞書情報として、対応する辞書種類に属する辞書情報のうちの一の辞書情報を割り当てることができる。
【００１７】
請求項３に記載の発明によれば、辞書起動キーに対するキー操作が為された場合に起動する辞書情報として、通信回線を介して接続される他の装置に記憶された辞書情報が割り当てることができ、当該辞書起動キーに対するキー操作が為された場合には、当該他の装置に通信接続して辞書引き処理を行わせることにより、見出語をもとに辞書引きされた説明情報を取得することができる。
【００１８】
請求項４に記載の発明によれば、各辞書起動キーそれぞれのキー操作時に起動する辞書情報を、当該辞書起動キーに対応する辞書種類に属する辞書情報の中から改めて選択することにより、起動辞書設定情報を変更することができる。
【００１９】
請求項５に記載の発明によれば、電源オフ時において、何れかの辞書起動キーに対するキー操作を検知した場合には、電源オン処理を行うとともに、キー操作された辞書起動キーに対応付けられている使用対象者を指定することができる。
【００２０】
請求項６に記載の発明によれば、ユーザ操作によって入力された認証データをもとに使用対象者の認証を行って、使用対象者の指定の許否を判断することができる。
【００２１】
請求項７に記載の発明によれば、入力された学校名に応じた辞書情報を、各辞書起動キーに割り当てることができる。
【００２２】
請求項８に記載の発明によれば、入力された学年又は生年に応じた辞書情報を、各辞書起動キーに割り当てることができる。また、入力された学年又は生年を、入力時の時刻と対応付けて記憶しておき、計時手段により計時される時刻に基づき使用対象者が新学年になったと判別された場合には、当該判別された使用対象者について設定されている各辞書起動キーそれぞれのキー操作時に起動する辞書情報を、当該辞書起動キーに対応する辞書種類に属する他の辞書情報に変更することができる。
【発明を実施するための最良の形態】
【００２３】
以下、図１〜図２４を参照して、本発明に係る情報表示制御装置の実施形態について詳細に説明する。尚、以下では、本発明を情報表示制御装置の一種である折りたたみ式の携帯型電子辞書（以下、単に「電子辞書」という。）に適用した場合を例にとって説明する。
【００２４】
電子辞書には、例えば、国語辞典、漢和辞典、英和辞典、和英辞典、百科事典等の種々の電子辞書データ（辞書ＤＢ）が内蔵されている。辞書ＤＢとは、見出語と、見出語の意味や、見出語を用いた用例、成句、発音、解説といった、当該見出語を説明解説等するための文字データ、静止画像データ、動画データ、音声データ等の説明情報とが対応付けられた情報を集合した辞書情報を、コンピュータを用いて検索処理することができるように体系的に構成したものである。ユーザは、検索対象の辞書ＤＢ（検索辞書ＤＢ）を選択して文字を入力（以下、入力された文字を「入力文字」という。）することにより、当該入力文字に適合する見出語の解説等を表示させることができる。
【００２５】
また、本実施形態において、電子辞書は、本体に内蔵される辞書ＤＢ（以下、「内蔵辞書ＤＢ」という。）の他、電子辞書に装着されるメモリカードに記憶された辞書ＤＢ（以下、「カード内辞書ＤＢ」という。）や、インターネット上で公開されている辞書ＤＢ（以下、「ネット辞書ＤＢ」という。）の利用が可能に構成されている。
【００２６】
［概観］
図１（ａ）に、電子辞書の斜視概観例を示す。図１（ａ）に示すように、電子辞書１は、表示パネル３と、キー群５とを備えて構成されている。キー群５を構成する各キーにはそれぞれ固有の機能が割り当てられており、ユーザは、これらのキーを押下して電子辞書１を操作する。
【００２７】
図１（ｂ）に、キー群５のキー配列の一例を示す。図１（ｂ）に示すように、キー群５は、電源のＯＮ／ＯＦＦを切り替える電源キー１１、入力文字を入力する文字入力キー１２、説明情報の表示指示や操作の確定指示等を入力する訳／決定キー１３、カーソルの移動方向等を指示する方向指示キー１４、メニューキー１５、検索辞書ＤＢを指定するための辞書起動キー１７等を備えて構成されており、本実施形態では、辞書起動キー１７として、辞書種類“国語”に対応する国語キー１７ａと、辞書種類“漢和”に対応する漢和キー１７ｂと、辞書種類“英和”に対応する英和キー１７ｃと、辞書種類“和英”に対応する和英キー１７ｄとを備えている。以下、辞書起動キー１７の種類を「起動キー種別」という。
【００２８】
辞書起動キー１７をキー操作することによれば、対応する辞書種類に属する辞書ＤＢのうちの一の辞書ＤＢをワンタッチで起動することができる。すなわち、国語キー１７ａをキー操作した場合には、国語辞典系に分類される辞書ＤＢのうちの一の辞書ＤＢが起動される。同様にして、漢和キー１７ｂに対するキー操作時には漢和辞典系に分類される辞書ＤＢのうちの一の辞書ＤＢが、英和キー１７ｃに対するキー操作時には英和辞典系に分類される辞書ＤＢのうちの一の辞書ＤＢが、和英キー１７ｄに対するキー操作時には和英辞典系に分類される辞書ＤＢのうちの一の辞書ＤＢが、それぞれ起動される。本実施形態の電子辞書１は、複数のユーザが使用する場合を想定しており、この辞書起動キー１７に対するキー操作に応じて起動される辞書が、使用するユーザ（以下、電子辞書１を使用するユーザを、「使用対象者」という。）に応じて割り当てられる。
【００２９】
さらに、本実施形態では、辞書起動キー１７は、キー操作に応じて電源オン処理を行う機能を有し、電源オン時にキー操作された辞書起動キー１７により使用対象者が指定される。具体的には、各辞書起動キー１７には、それぞれユーザ操作に従って使用対象者が固有に割り振られており、電源オフ時に辞書起動キー１７をキー操作することにより、電源投入指示と、使用対象者の指定とを同時に行うことができる。以下、辞書起動キー１７に対するキー操作により指定された使用対象者を、「現使用対象者」という。
【００３０】
また、メニューキー１５をキー操作することによれば、各種モード設定用のメニューや、利用可能な辞書ＤＢの一覧を表示させて検索辞書ＤＢの選択を促す辞書選択用のメニュー（辞書一覧メニュー）といった各種メニュー項目が提示され、選択されたメニュー項目に応じた処理が行われる。
【００３１】
一方、図１（ａ）に示すように、電子辞書１は、通信装置（図２に示す通信装置４００）を具備しており、この通信装置を介してネットワークＮに接続することにより、当該ネットワークＮに接続される外部機器との通信が可能である。このネットワークＮとは、例えば、インターネット及びインターネットに接続するための回線やＩＳＰサーバ等のことであり、電話回線網、ＩＳＤＮ回線網、専用線、衛星通信回線、ＣＡＴＶ回線等の各種通信回線と、それらを接続するインターネットプロバイダ等を含む。
【００３２】
具体的には、電子辞書１は、通信装置４００及びネットワークＮを介して辞書サーバ９ａ（９ａ−１，９ａ−２，・・・）に通信接続し、各辞書サーバ９ａが公開しているネット辞書ＤＢを利用することができる。
【００３３】
或いは、電子辞書１は、通信装置４００及びネットワークＮを介して、推奨辞書情報９０を有する管理サーバ９ｂに通信接続し、使用対象者の職業や通学する学校、年齢等に応じた推奨辞書の情報を取得することができる。
【００３４】
また、図１（ａ）に示すように、電子辞書１本体の側面には、メモリカード６５０を着脱自在に装着するカードスロット６００が設けられており、辞書ＤＢを記憶したメモリカードを装着することにより、当該辞書ＤＢを利用することができるようになっている。
【００３５】
さらに、図１（ａ）に示すように、電子辞書１本体の側面には、データの入力端子を備えた通信コネクタ７が設けられており、通信ケーブル８によりパーソナルコンピュータ（以下、「ＰＣ」という。）等の外部機器と接続することで、辞書ＤＢをダウンロードすることができるようになっている。この通信コネクタ７には、ＵＳＢや、ＩＥＥＥといった種々の形式が適宜選択される。電子辞書１と接続されたＰＣから伝送される辞書ＤＢは、前述のカードスロット６００に装着されたメモリカード６５０、或いは電子辞書１の備えるフラッシュＲＯＭ８００（図２参照）に適宜格納される。
【００３６】
［機能構成］
図２は、電子辞書１の機能構成の一例を示すブロック図である。図２に示すように、電子辞書１は、ＣＰＵ１００、入力装置２００、表示装置３００、通信装置４００、伝送制御装置５００、カードスロット６００、ＲＡＭ７００、フラッシュＲＯＭ８００、及び内蔵時計１０００によって構成されており、各部は内部バスによって接続されている。
【００３７】
ＣＰＵ１００は、入力される指示に応じて所定のプログラムに基づいた処理を実行し、各機能部への指示やデータの転送等を行い、電子辞書１を統括的に制御する。具体的には、ＣＰＵ１００は、入力装置２００から入力される信号等に応じてフラッシュＲＯＭ８００に格納されたプログラムを読み出し、当該プログラムに従って処理を実行する。そして、処理結果をＲＡＭ７００に保存するとともに、当該処理結果を表示するための表示信号を適宜表示装置３００に出力し、対応する表示情報を表示させる。
【００３８】
入力装置２００は、文字キーや数字キー、各種機能キー等を備えたキーボード、或いはマウスやタブレットといったポインティングデバイス等により実現されるものであり、これらが操作された場合には、その操作に応じた操作信号をＣＰＵ１００に出力する。この入力装置２００におけるキー入力により、使用対象者の指定、入力文字の入力、検索辞書ＤＢの選択、検索実行指示、ジャンプ指示、用例の表示指示等の入力手段が実現される。尚、この入力装置２００は、図１に示すキー群５に相当するものである。
【００３９】
表示装置３００は、ＣＰＵ１００から入力される表示信号に基づいて各種画面を表示するための装置であり、例えば、ＬＣＤ（Liquid Crystal Display）やＥＬＤ（Electronic Luminescent Display）等により実現される。尚、この表示装置３００は、図１に示す表示パネル３に相当する。
【００４０】
通信装置４００は、ネットワークＮを介して接続される外部機器（本実施形態では、図１に示した辞書サーバ９ａや辞書管理サーバ９ｂ）と所定の情報を送受するための装置であり、外部機器との通信を行うための制御を行う。
【００４１】
伝送制御装置５００は、通信ケーブルを介して接続される外部機器（例えば、ＰＣ）と所定の情報を送受するための装置であり、外部機器との通信を行うための制御を行う。尚、この伝送制御装置５００は、図１に示す通信コネクタ７に相当する。
【００４２】
カードスロット６００は、メモリカード６５０を着脱自在に装着し、ＣＰＵ１００から入力される指示に応じてメモリカード６５０に記憶される辞書ＤＢを読み出す。また、カードスロット６００は、伝送制御装置５００を介して外部機器から伝送される辞書ＤＢのうち、格納場所にメモリカードが指定された辞書ＤＢを、カード内辞書ＤＢとしてメモリカード６５０に格納する。
【００４３】
ＲＡＭ７００は、ＣＰＵ１００の作業用メモリとして用いられる半導体メモリであり、ＣＰＵ１００が実行するプログラムや、これらプログラムの実行に係るデータ等を一時的に保持するメモリ領域を備える。
【００４４】
フラッシュＲＯＭ８００には、各種初期設定、ハードウェアの構成、又は必要なプログラムのロード等を行うための初期プログラムが格納される。ＣＰＵ１００は、電子辞書１の電源投入時においてこの初期プログラムを実行することにより、電子辞書１の動作環境を設定する。
【００４５】
また、フラッシュＲＯＭ８００には、電子辞書１の動作に係るプログラムや、電子辞書１の備える種々の機能を実現するためのプログラム、これらプログラムの実行に係るデータ等が格納されるとともに、複数の内蔵辞書ＤＢが格納される。この内蔵辞書ＤＢは、フラッシュＲＯＭ８００に予め格納された辞書ＤＢの他、外部機器からダウンロードされて追加された辞書ＤＢを含む。ＣＰＵ１００は、伝送制御装置５００を介して外部機器から伝送される辞書ＤＢのうち、格納場所にフラッシュＲＯＭが指定された辞書ＤＢを、内蔵辞書ＤＢとしてフラッシュＲＯＭ８００に格納する。
【００４６】
内蔵時計１０００は、現在の年月日時分秒の日付時刻を計時する計時装置であり、計時した日付時刻を適宜ＣＰＵ１００に出力する。
【００４７】
次に、以上説明した概観・構成の電子辞書１の具体的な３つの実施形態について、順に説明する。
【００４８】
（第１実施形態）
先ず、第１実施形態について説明する。
【００４９】
［ＲＡＭ・フラッシュＲＯＭの構成］
図３（ａ）は第１実施形態の電子辞書のＲＡＭ７００ａの構成例、（ｂ）は第１実施形態の電子辞書のフラッシュＲＯＭ８００ａの構成例を示す図である。図３（ａ）に示すように、ＲＡＭ７００ａは、第１実施形態を実現するため、ユーザ操作により指定された現使用対象者のユーザ名を保持する現使用対象者格納領域７０２と、ユーザ操作に従って設定された検索辞書ＤＢの辞書種別（検索辞書種別）を保持する検索辞書種別格納領域７０４と、ユーザ操作により入力された入力文字を保持する入力文字格納領域７０６とを備えている。
【００５０】
また、図３（ｂ）に示すように、フラッシュＲＯＭ８００ａには、内蔵辞書ＤＢ９００として、広○苑９０２、学習国語辞典９０４、漢和辞典９０６、ジーニ○ス英和辞典９０８、ジーニ○ス和英辞典９１０、ロング○ン英和辞典９１２、ロング○ン和英辞典９１４、・・・といった複数の辞書ＤＢが格納されている。
【００５１】
図４は、内蔵辞書ＤＢである広○苑９０２の蓄積形式の一例を示す図である。図４に示すように、広○苑９０２には、見出語と、当該見出語を説明するための文字データである説明情報とが対応付けられた辞書データが蓄積される。尚、図示しないが、同様にして、各内蔵辞書ＤＢには、それぞれ、見出語と説明情報とが対応付けられた辞書データが蓄積される。
【００５２】
さらに、フラッシュＲＯＭ８００ａには、第１実施形態を実現するため、辞書分類テーブル８１０と、妹用起動辞書データ８２０−１、兄用起動辞書データ８２０−２、及び父用起動辞書データ８２０−３を備えた起動辞書設定情報としての使用対象者別起動辞書データ８２０と、第１の使用対象者別辞書割当プログラム８５０ａと、第１の起動時設定プログラム８６０ａと、辞書検索プログラム８７０とが格納されている。
【００５３】
辞書分類テーブル８１０は、辞書種類毎に、当該辞書種類に属する辞書ＤＢと、当該辞書ＤＢの格納場所との対応関係が設定されたデータテーブルである。図５は、辞書分類テーブル８１０のデータ構成例を示す図である。例えば、レコードＬ１０は、辞書種類“国語”に属する辞書ＤＢ“広○苑”が、フラッシュＲＯＭに格納される内蔵辞書ＤＢであることを示している。また、レコードＬ１２は、辞書種類“漢和”に属する辞書ＤＢ“漢字字典”が、メモリカードに格納されるカード内辞書ＤＢであることを示している。
【００５４】
また、ネット辞書ＤＢについては、格納場所として、該当する辞書ＤＢを公開している辞書サーバ９ａのＵＲＬが設定される。例えば、レコードＬ１４によれば、辞書種類“漢和”に属する辞書ＤＢ“イラスト漢字辞典”はネット辞書ＤＢであり、格納場所として、ＵＲＬ“ｈｔｔｐ：／／ｗｗｗ．ｋｌｍ．ｃｏ．ｊｐ”が設定されている。
【００５５】
使用対象者別起動辞書データ８２０は、使用対象者毎に用意され、辞書起動キー１７に対するキー操作時に起動する辞書に関するデータが設定される。図６は、第１実施形態における使用対象者別起動辞書データ８２０のデータ構成例を示す図である。図６に示す使用対象者別起動辞書データ８２０は、妹用起動辞書データ８２０−１、兄用起動辞書データ８２０−２、及び父用起動辞書データ８２０−３の３人の使用対象者用の起動辞書データを備え、それぞれ、該当する使用対象者を指定する対象者指定キー８２２、当該使用対象者のユーザ名８２４、当該使用対象者を認証するためのパスワード８２６、及び当該使用対象者用の起動辞書割当情報８２８を記憶する。
【００５６】
対象者指定キー８２２には、該当する使用対象者を指定するキーとして機能する起動キー種別が設定される。前述のように、各辞書起動キー１７に割り振られる使用対象者は固有のものであり、各使用対象者用の起動辞書データには、それぞれ別個の起動キー種別が設定される。例えば、図６に示す妹用起動辞書データ８２０−１の対象者指定キー８２２には“国語キー”が設定されており、電源をオンする際に国語キー１７ａがキー操作された場合には、ユーザ名“妹”なる使用対象者が現使用対象者に設定される。
【００５７】
起動辞書割当情報８２８には、辞書種類と、対応する辞書起動キー１７がキー操作された際に起動する辞書ＤＢとの対応関係が設定される。詳細には、辞書種類“国語”と対応付けて、辞書種類“国語”に属する辞書ＤＢの中からユーザ操作により指定された一の辞書ＤＢが設定される。同様にして、辞書種類“漢和”と対応付けて、辞書種類“漢和”に属する辞書ＤＢの中からユーザ操作により指定された辞書ＤＢが、辞書種類“英和”と対応付けて、辞書種類“英和”に属する辞書ＤＢの中からユーザ操作により指定された辞書ＤＢが、辞書種類“和英”と対応付けて、辞書種類“和英”に属する辞書ＤＢの中からユーザ操作により指定された辞書ＤＢが、それぞれ設定される。
【００５８】
例えば、図６に示す妹用起動辞書データ８２０−１の起動辞書割当情報８２８によれば、ユーザ名“妹”なる使用対象者が現使用対象者の場合には、国語キー１７ａに対するキー操作に応じて学習国語辞典９０４が起動し、漢和キー１７ｂに対するキー操作に応じてイラスト漢字辞典の辞書ＤＢが起動し、英和キー１７ｃに対するキー操作に応じてロング○ン英和辞典９１２が起動し、和英キー１７ｄに対するキー操作に応じてロング○ン和英辞典９１４が起動することとなる。
【００５９】
第１の使用対象者別辞書割当プログラム８５０ａは、第１の使用対象者別辞書割当処理をＣＰＵ１００に実行させるためのプログラムであり、一の使用対象者用の起動辞書データが作成される。具体的には、ＣＰＵ１００は、対象者指定キー、ユーザ名、パスワード、及び各辞書起動キー１７に割り当てる辞書ＤＢの各項目に対する指定操作を受け付け、指定操作に従って当該使用対象者用の起動辞書データを更新する。
【００６０】
第１の起動時設定プログラム８６０ａは、第１の起動時設定処理をＣＰＵ１００に実行させるためのプログラムである。具体的には、ＣＰＵ１００は、電源オン時にキー操作された辞書起動キー１７に応じて現使用対象者を決定するとともに、使用対象者別起動辞書データ８２０を参照し、現使用対象者用の起動辞書データにパスワードが記憶されている場合には、パスワードの入力を受け付けて使用対象者を認証する処理を行う。
【００６１】
辞書検索プログラム８７０は、辞書検索処理をＣＰＵ１００に実行させるためのプログラムである。すなわち、ＣＰＵ１００は、ユーザ操作に従って検索辞書ＤＢを設定する。具体的には、辞書起動キー１７の何れかがキー操作された場合は、現使用対象者用の起動辞書データを参照してキー操作された辞書起動キー１７に割り当てられている辞書ＤＢを検索辞書ＤＢに設定する。一方、メニューキー１５がキー操作されて辞書一覧メニューが選択された場合には、辞書一覧から選択された辞書ＤＢを検索辞書ＤＢに設定する。
【００６２】
そして、ＣＰＵ１００は、辞書分類テーブル８１０に設定された検索辞書ＤＢの格納場所に応じて以下の処理を実行する。すなわち、検索辞書ＤＢの格納場所がフラッシュＲＯＭの場合には、内蔵辞書ＤＢ９００としてフラッシュＲＯＭ８００ａに格納された検索辞書ＤＢに含まれる見出語をもとに辞書引き処理を行い、入力文字に適合する見出語に対応する説明情報を読み出して表示する制御を行う。或いは、検索辞書ＤＢの格納場所がメモリカードの場合には、カード内辞書ＤＢとしてメモリカード６５０に格納された検索辞書ＤＢに含まれる見出語をもとに辞書引き処理を行い、入力文字に適合する見出語に対応する説明情報を読み出して表示する制御を行う。一方、検索辞書ＤＢの格納場所としてＵＲＬが設定されている場合には、当該ＵＲＬに従って辞書サーバ９ａに接続し、入力文字を指定した検索要求を送信することにより当該接続した辞書サーバ９ａに辞書引き処理を行わせる。そして、当該辞書サーバ９ａから応答された検索結果データ、すなわち、入力文字に適合する見出語の説明情報を表示する制御を行う。
【００６３】
［処理の流れ］
次に、図７〜図９を参照して、第１実施形態においてＣＰＵ１００が実行する処理の流れについて説明する。
先ず、第１の使用対象者別辞書割当処理の流れについて、図７に示すフローチャートを参照して説明する。尚、ここで説明する処理は、ＣＰＵ１００が第１の使用対象者別辞書割当プログラム８５０ａを読み出して実行することにより実現される。
【００６４】
図７に示すように、先ず、使用対象者を指定するための起動キー種別の指定操作を受け付ける（ステップａ１０）。そして、ＣＰＵ１００は、指定された起動キー種別の辞書起動キーに使用対象者が割り振られていない場合には（ステップａ２０：ＮＯ）、ステップａ４５に移行する。
【００６５】
一方、ＣＰＵ１００は、指定された起動キー種別の辞書起動キーに使用対象者が既に割り振られている場合、すなわち、使用対象者別起動辞書データ８２０が備える各使用対象者用の起動辞書データにおいて、対象者指定キー８２２として当該指定された起動キー種別が設定されている場合には（ステップａ２０：ＹＥＳ）、設定変更の許否を確認するメッセージを表示し（ステップａ３０）、変更が許可された場合に（ステップａ４０：ＹＥＳ）、ステップａ４５に移行する。
【００６６】
ステップａ４５では、ＣＰＵ１００は、ステップａ１０で指定された起動キー種別を、対象者指定キー８２２に設定する。
【００６７】
続いて、ＣＰＵ１００は、ユーザ名の指定操作を受け付けて、ユーザ名８２４を設定する（ステップａ５０）。
【００６８】
続いて、ＣＰＵ１００は、パスワードの指定操作を受け付けて、指定された場合に（ステップａ６０：ＹＥＳ）、パスワード８２６を設定する（ステップａ７０）。
【００６９】
続いて、ＣＰＵ１００は、“国語”、“漢和”、“英和”、及び“和英”の各辞書種類について、ループＡの処理を繰り返し実行する（ステップａ８０〜ステップａ１１０）。
【００７０】
ループＡでは、ＣＰＵ１００は、先ず、辞書分類テーブル８１０をもとに、処理対象の辞書種類に属する辞書ＤＢを一覧表示する制御を行う（ステップａ９０）。そして、ＣＰＵ１００は、一覧表示させた辞書ＤＢの中から選択された辞書ＤＢを、処理対象の辞書種類と対応付けて起動辞書割当情報８２８に設定することにより、対応する辞書起動キー１７のキー操作時に起動する辞書ＤＢを割り当てる（ステップａ１００）。そして、ＣＰＵ１００は、全ての辞書種類についてループＡを実行したならば、本処理を終了する。
【００７１】
次に、第１の起動時設定処理の流れについて、図８に示すフローチャートを参照して説明する。尚、ここで説明する処理は、ＣＰＵ１００が第１の起動時設定プログラム８６０ａを読み出して実行することにより実現される。
【００７２】
図８に示すように、電源オフ時の待機電源によって電源キー又は辞書起動キー１７に対するキー操作を監視し、これらのキーに対するキー操作の検知によって電源オン操作が為されたと判断した場合には（ステップｂ１０：ＹＥＳ）、ＣＰＵ１００は、電源オン処理を実行し（ステップｂ１５）、続いて、操作されたキーを判別する（ステップＢ４０）。そして、ＣＰＵ１００は、辞書起動キー１７の何れかがキー操作されたと判別した場合には、ステップｂ５０に移行する。
【００７３】
一方、ステップＢ４０における判別の結果、電源キー１１がキー操作されたと判別した場合には、ＣＰＵ１００は、辞書起動キー１７のキー操作による使用対象者の指定操作を促すメッセージを表示して待機する（ステップｂ３０）。そして、ＣＰＵ１００は、辞書起動キー１７に対するキー操作が為された場合には（ステップｂ４０：ＹＥＳ）、ステップｂ５０に移行する。
【００７４】
ステップｂ５０では、ＣＰＵ１００は、使用対象者別起動辞書データ８２０を参照し、当該キー操作された辞書起動キー１７の起動キー種別に従って現使用対象者を決定する。この際、決定された現使用対象者のユーザ名が現使用対象者格納領域７０２に保持される。
【００７５】
続いて、ＣＰＵ１００は、決定した現使用対象者用の起動辞書データを参照してパスワード８２６が設定されているか否かを判定し、設定されている場合には（ステップｂ６０：ＹＥＳ）、パスワードの入力操作を受け付ける（ステップｂ７０）。そして、ＣＰＵ１００は、入力されたパスワードを現使用対象者用の起動辞書データに設定されたパスワード８２６と比較することで使用対象者本人の認証を行い、パスワードが認証・照合された場合には（ステップｂ８０：ＹＥＳ）、本処理を終了する。
【００７６】
一方、ＣＰＵ１００は、パスワードが認証・照合されない場合には（ステップｂ８０：ＮＯ）、ステップｂ７０に戻って再度パスワードの入力操作を受け付ける。
【００７７】
次に、辞書検索処理の流れについて、図９に示すフローチャートを参照して説明する。尚、ここで説明する処理は、ＣＰＵ１００が辞書検索プログラム８７０を読み出して実行することにより実現される。
【００７８】
図９に示すように、ＣＰＵ１００は、辞書起動キー１７に対するキー操作が為された場合には（ステップｃ１０：ＹＥＳ）、現使用対象者用の起動辞書データを参照し、キー操作された辞書起動キー１７に割り当てられている辞書ＤＢを検索辞書ＤＢに設定する（ステップｃ２０）。この際、設定された検索辞書ＤＢの辞書種別が検索辞書種別格納領域７０４に保持される。
【００７９】
一方、ＣＰＵ１００は、メニューキー１５がキー操作された場合であって（ステップｃ３０：ＹＥＳ）、辞書一覧メニューから辞書ＤＢが選択された場合には（ステップｃ４０：ＹＥＳ）、当該選択された辞書ＤＢを検索辞書ＤＢに設定する（ステップｃ５０）。この際、設定された検索辞書ＤＢの辞書種別が検索辞書種別格納領域７０４に保持される。
【００８０】
続いて、ＣＰＵ１００は、入力文字の入力を受け付ける（ステップｃ６０）。そして、訳／決定キー１３に対するキー操作に応じて（ステップｃ７０：ＹＥＳ）、ＣＰＵ１００は、入力された入力文字を入力文字格納領域７０６に格納するとともに、辞書分類テーブル８１０を参照し、ステップｃ２０又はステップｃ５０で設定された検索辞書ＤＢの格納場所を判別する（ステップｃ８０）。
【００８１】
そして、検索辞書ＤＢの格納場所がフラッシュＲＯＭの場合には、ＣＰＵ１００は、フラッシュＲＯＭ８００ａに格納される内蔵辞書ＤＢ９００のうちの検索辞書ＤＢに含まれる見出語をもとに辞書引き処理を行い、ステップｃ６０で入力された入力文字に適合する見出語に対応する説明情報を読み出す（ステップｃ９０）。そして、ＣＰＵ１００は、読み出した説明情報を表示する制御を行う（ステップｃ１００）。
【００８２】
同様にして、検索辞書ＤＢの格納場所がメモリカードの場合には、ＣＰＵ１００は、メモリカード６５０に格納されたカード内辞書ＤＢのうちの検索辞書ＤＢに含まれる見出語をもとに辞書引き処理を行い、ステップｃ６０で入力された入力文字に適合する見出語に対応する説明情報を読み出す（ステップｃ９０）。そして、ＣＰＵ１００は、読み出した説明情報を表示する制御を行う（ステップｃ１００）。
【００８３】
一方、検索辞書ＤＢの格納場所としてＵＲＬが設定されている場合には、ＣＰＵ１００は、当該ＵＲＬに従って辞書サーバ９ａに接続し、ステップｃ６０で入力された入力文字を指定した検索要求を送信する（ステップｃ１１０）。これにより、当該接続した辞書サーバ９ａに辞書引き処理を行わせて当該辞書サーバ９ａから入力文字に適合する見出語の説明情報を取得し（ステップｃ１２０）、取得した説明情報を表示する制御を行う（ステップｃ１３０）。
【００８４】
［操作例］
次に、第１実施形態における電子辞書の操作例について説明する。図１０〜図１３は、第１実施形態における電子辞書の備える表示装置３００に表示される画面例を示す図である。
【００８５】
図１０は、メニューキー１５をキー操作して起動辞書設定モード用のメニューを選択した場合に表示される、起動辞書設定画面の遷移例を示す図である。先ず、図１０（ａ）に示すように、起動辞書設定画面には、各辞書起動キー１７の起動キー種別が一覧表示され、対象者指定キーの指定操作を受け付ける。
【００８６】
図１０（ａ）に示す起動辞書設定画面において、例えば、“国語キー”を選択して訳／決定キー１３をキー操作すると、ＣＰＵ１００により以下の内部処理が実行される。すなわち、使用対象者別起動辞書データ８２０を参照し、各使用対象者用の起動辞書データにおいて、対象者指定キー８２２として当該指定された起動キー種別が設定されているか否かを判別し、設定されていない場合（図７に示すステップａ１０→ａ２０（ＮＯ））、或いは設定されている場合であって設定変更が許可された場合に（図７に示すステップａ１０→ａ２０（ＹＥＳ）→ａ３０→ａ４０（ＹＥＳ））、対象者指定キー８２２に起動キー種別“国語キー”を設定する処理が実行される（図７に示すステップａ４５）。
【００８７】
続いて、図１０（ｂ）に示すように、起動辞書設定画面は、ユーザ名の指定操作を受け付ける入力ボックスＢ１０、及びパスワードの指定操作を受け付ける入力ボックスＢ１２が配置された画面に表示更新され、ユーザ名及びパスワードの指定操作を受け付ける。尚、図１０（ｂ）に示す起動辞書設定画面において、入力ボックスＢ１２をブランクのまま訳／決定キー１３をキー操作することにより、パスワードを指定しないことも可能である。
【００８８】
図１０（ｂ）に示す起動辞書設定画面において、文字入力キー１２を操作してユーザ名及びパスワードを入力し、訳／決定キー１３をキー操作すると、ＣＰＵ１００により、該当する入力ボックスに入力された文字列をユーザ名８２４及びパスワード８２６にそれぞれ設定する処理が実行される（図７に示すステップａ５０→ａ６０（ＹＥＳ）→ａ７０）。
【００８９】
続いて、起動辞書設定画面として、各辞書種類に属する辞書ＤＢを一覧表示した画面を順次表示し、各辞書起動キー１７のキー操作時に起動させる辞書ＤＢの指定操作を受け付ける。図１０（ｃ）に示す起動辞書設定画面には、辞書種類“国語”に属する辞書ＤＢが一覧表示されており、国語キー１７ａに割り当てる辞書ＤＢの指定操作を受け付ける。
【００９０】
図１０（ｃ）に示す起動辞書設定画面において、方向指示キー１４を操作して例えば“学習国語辞典”を選択し、訳／決定キー１３をキー操作すると、ＣＰＵ１００により、国語キー１７ａがキー操作された際に起動する辞書ＤＢとして学習国語辞典９０４を割り当てる処理が行われる（図７に示すステップａ１００→ａ１１０）。
【００９１】
同様にして、各辞書種類に属する辞書ＤＢを一覧表示した画面において、それぞれ対応する辞書起動キー１７に割り当てる辞書ＤＢを選択することにより、辞書起動キー１７に対するキー操作に応じて起動する辞書ＤＢの割り当てを終了すると、図１０（ｄ）に示すように、起動辞書確認画面は、ユーザ名、対象者指定キー、パスワード、及び起動辞書割当情報の各項目に対する設定を確認するための画面に表示更新される。
【００９２】
図１１は、前述の図１０に関する操作の後であって、電源オン処理を行った際に国語キー１７ａがキー操作されてユーザ名“妹”なる使用対象者が現使用対象者に設定された場合に表示される辞書検索画面Ｗ１０の一例を示す図である。図１１に示すように、辞書検索画面Ｗ１０には、妹用起動辞書データ８２０−１に基づいて、各辞書起動キー１７に割り当てられている辞書ＤＢの辞書名が、辞書起動キー１７のキー配列に従って表示される。
【００９３】
すなわち、ユーザ名“妹”なる使用対象者が電子辞書を使用する際には、図１０（ｄ）に示した起動辞書割当情報の通り、国語キー１７ａに対するキー操作に応じて学習国語辞典９０４が、漢和キー１７ｂに対するキー操作に応じてイラスト漢字辞典の辞書ＤＢが、英和キー１７ｃに対するキー操作に応じてロング○ン英和辞典９１２が、和英キー１７ｄに対するキー操作に応じてロング○ン和英辞典９１４が、それぞれ起動することとなる。
【００９４】
図１２は、ユーザ名“兄”なる使用対象者が現使用対象者に設定された場合に表示される辞書検索画面Ｗ２０の一例を示す図である。図１２に示すように、辞書検索画面Ｗ２０には、図１１で説明した操作と同様の要領で設定された兄用起動辞書データ８２０−２（図６参照）に基づいて、各辞書起動キー１７に割り当てられている辞書ＤＢの辞書名が、辞書起動キー１７のキー配列に従って表示される。
【００９５】
すなわち、ユーザ名“兄”なる使用対象者が電子辞書を使用する際には、例えば、国語キー１７ａに対するキー操作に応じて広○苑９０２が、漢和キー１７ｂに対するキー操作に応じて漢和辞典９０６が、英和キー１７ｃに対するキー操作に応じてジーニ○ス英和辞典９０８が、和英キー１７ｄに対するキー操作に応じてジーニ○ス和英辞典９１０が、それぞれ起動することとなる。
【００９６】
図１３は、ユーザ名“父”なる使用対象者が現使用対象者に設定された場合に表示される辞書検索画面Ｗ３０の一例を示す図である。辞書検索画面Ｗ３０には、図１１で説明した操作と同様の要領で設定された父用起動辞書データ８２０−３（図６参照）に基づいて、各辞書起動キー１７に割り当てられている辞書ＤＢの辞書名が、辞書起動キー１７のキー配列に従って表示される。
【００９７】
すなわち、ユーザ名“父”なる使用対象者が電子辞書を使用する際には、例えば、国語キー１７ａに対するキー操作に応じて広○苑９０２が、漢和キー１７ｂに対するキー操作に応じて漢和辞典９０６が、英和キー１７ｃに対するキー操作に応じてリー○ース英和辞典の辞書ＤＢが、和英キー１７ｄに対するキー操作に応じてリー○ース和英辞典の辞書ＤＢが、それぞれ起動することとなる。
【００９８】
以上説明したように、第１実施形態によれば、各辞書種類に属する辞書ＤＢの中からユーザ操作により指定された一の辞書ＤＢを、該当する辞書起動キー１７がキー操作された際に起動する辞書ＤＢに割り当てることができる。したがって、ユーザは、辞書起動キー１７をキー操作することにより、該当する辞書種類に属する辞書ＤＢのうちの現使用対象者に応じた辞書ＤＢをワンタッチで起動することができ、電子辞書の使い勝手を向上させることができる。
【００９９】
また、各辞書起動キー１７に、それぞれユーザ操作に従って使用対象者を割り振ることができるので、電源オン処理を行った際にキー操作された辞書起動キー１７に応じて現使用対象者を決定することができる。したがって、ユーザは、電源オフ時に辞書起動キー１７をキー操作することにより、使用対象者をワンタッチで指定することができ、電子辞書の使い勝手を向上させることができる。
【０１００】
また、パスワードを設定しておくことにより、当該設定したパスワードをもとに使用対象者の認証を行い、辞書起動キー１７による使用対象者の指定の許否を判断することができる。
【０１０１】
（第２実施形態）
次に、電子辞書の第２実施形態について説明する。
【０１０２】
［ＲＡＭ・フラッシュＲＯＭの構成］
図１４（ａ）は、第２実施形態におけるＲＡＭ７００ｂの構成例、（ｂ）は第２実施形態におけるフラッシュＲＯＭ８００ｂの構成例を示す図である。尚、以下では、第１実施形態と同一の構成要素には同一の符号を付してその説明を省略する。図１４（ａ）に示すように、ＲＡＭ７００ｂは、第１実施形態と同様に、現使用対象者格納領域７０２と、検索辞書種別格納領域７０４と、入力文字格納領域７０６とを備えている。
【０１０３】
また、図１４（ｂ）に示すように、フラッシュＲＯＭ８００ｂには、内蔵辞書ＤＢ９００として、広○苑９０２、学習国語辞典９０４、漢和辞典９０６、ジーニ○ス英和辞典９０８、ジーニ○ス和英辞典９１０、ロング○ン英和辞典９１２、ロング○ン和英辞典９１４、・・・といった複数の辞書ＤＢが格納されている。
【０１０４】
さらに、フラッシュＲＯＭ８００ｂには、第２実施形態を実現するため、辞書分類テーブル８１０と、妹用起動辞書データ８３０−１、兄用起動辞書データ８３０−２、及び父用起動辞書データ８３０−３を備えた使用対象者別起動辞書データ８３０と、第２の使用対象者別辞書割当プログラム８５０ｂと、第１の起動時設定プログラム８６０ａと、辞書検索プログラム８７０とが格納されている。
【０１０５】
使用対象者別起動辞書データ８３０は、第１実施形態と同様に、使用対象者毎に用意され、辞書起動キー１７に対するキー操作時に起動する辞書に関するデータが設定される。図１５は、第２実施形態における使用対象者別起動辞書データ８３０のデータ構成例を示す図である。図１５に示すように、使用対象者別起動辞書データ８３０は、妹用起動辞書データ８３０−１、兄用起動辞書データ８３０−２、及び父用起動辞書データ８３０−３を備え、それぞれ、該当する使用対象者を指定する対象者指定キー８３１、当該使用対象者のユーザ名８３２、当該使用対象者の職業８３３及び学校名８３４、当該使用対象者を認証するためのパスワード８３５、及び当該使用対象者用の起動辞書割当情報８３６を記憶する。
【０１０６】
第２の使用対象者別辞書割当プログラム８５０ｂは、第２の使用対象者別辞書割当処理をＣＰＵ１００に実行させるためのプログラムであり、一の使用対象者用の起動辞書データが作成される。具体的には、ＣＰＵ１００は、対象者指定キー、ユーザ名、職業、学校名、及びパスワードの各項目に対する指定操作を受け付け、指定操作に従って当該使用対象者用の起動辞書データを更新する。詳細には、第２実施形態では、新たにユーザの職業の指定操作を受け付けるとともに、職業として学生が指定された場合には、学校名の指定操作を更に受け付ける。
【０１０７】
そして、ＣＰＵ１００は、管理サーバ９ｂに接続して指定された職業を通知することにより、当該接続した管理サーバ９ｂから指定された職業に応じた推奨辞書データを取得する。或いは、職業として学生が指定され、学校名が指定された場合には、ＣＰＵ１００は、管理サーバ９ｂに接続して指定された学校名を通知することにより、当該接続した管理サーバ９ｂから指定された学校名に応じた推奨辞書データを取得する。そして、ＣＰＵ１００は、取得した推奨辞書データに従って起動辞書割当情報８３６を設定することにより、各辞書起動キー１７のキー操作時に起動する辞書ＤＢを割り当てる。
【０１０８】
図１６は、管理サーバ９ｂが有する推奨辞書情報９０のデータ構成例を示す図である。図１６に示すように、推奨辞書情報９０には、職業と対応付けて、例えば、“国語”、“漢和”、“英和”、“和英”といった辞書種類毎の推奨辞書が設定されている。また、職業が学生の場合には、学校名と対応付けて、学校別の辞書種類毎の推奨辞書が設定されている。
【０１０９】
［処理の流れ］
次に、図１７を参照して、第２実施形態においてＣＰＵ１００が実行する処理の流れについて説明する。図１７は、第２の使用対象者別辞書割当処理の流れを説明するためのフローチャートである。尚、ここで説明する処理は、ＣＰＵ１００が第２の使用対象者別辞書割当プログラム８５０ｂを読み出して実行することにより実現される。
【０１１０】
図１７に示すように、先ず、使用対象者を指定するための起動キー種別の指定操作を受け付ける（ステップｄ１０）。そして、ＣＰＵ１００は、指定された起動キー種別の辞書起動キーに使用対象者が割り振られていない場合には（ステップｄ２０：ＮＯ）、ステップｄ４５に移行する。
【０１１１】
一方、ＣＰＵ１００は、指定された起動キー種別の辞書起動キーに使用対象者が既に割り振られている場合、すなわち、使用対象者別起動辞書データ８３０が備える何れかの使用対象者用の起動辞書データにおいて、対象者指定キー８３１として当該指定された起動キー種別が設定されている場合には（ステップｄ２０：ＹＥＳ）、変更の許否を確認するメッセージを表示し（ステップｄ３０）、変更が許可された場合に（ステップｄ４０：ＹＥＳ）、ステップｄ４５に移行する。
【０１１２】
ステップａ４５では、ＣＰＵ１００は、ステップａ１０で指定された起動キー種別を、対象者指定キー８３１に設定する。
【０１１３】
続いて、ＣＰＵ１００は、当該使用対象者のユーザ名の指定操作を受け付けて、ユーザ名８３２を設定する（ステップｄ５０）。
【０１１４】
続いて、ＣＰＵ１００は、当該使用対象者の職業の指定操作を受け付けて職業８３３を設定し（ステップｄ６０）、続いて、学校名の指定操作を受け付けて学校名８３４を設定する（ステップｄ７０）。具体的には、ステップｄ６０において職業として学生が指定された場合に、学校名の指定操作を受け付ける。
【０１１５】
続いて、ＣＰＵ１００は、パスワードの指定操作を受け付けて、指定された場合には（ステップｄ８０：ＹＥＳ）、パスワード８３５を設定する（ステップｄ９０）。
【０１１６】
次に、ＣＰＵ１００は、管理サーバ９ｂに接続し、ステップｄ６０で指定された職業及びステップｄ７０で指定された学校名を通知する（ステップｄ１００）。これに応答して、管理サーバ９ｂでは、通知された職業をもとに、推奨辞書情報９０から辞書種類毎の推奨辞書を読み出して推奨辞書データを作成し、電子辞書に送信する処理が行われる。或いは、管理サーバ９ｂでは、学校名が通知された場合には、当該学校名をもとに、推奨辞書情報９０から辞書種類毎の推奨辞書を読み出して推奨辞書データを作成し、電子辞書に送信する処理が行われる。この推奨辞書データには、例えば、“国語”、“漢和”、“英和”、及び“和英”の各辞書種類と、対応する辞書起動キー１７がキー操作された際に起動する辞書ＤＢとの対応関係が設定される。
【０１１７】
そして、ＣＰＵ１００は、当該管理サーバ９ｂから取得した推奨辞書データに従って起動辞書割当情報８３６を設定することにより、各辞書起動キー１７のキー操作時に起動する辞書ＤＢを割り当てる（ステップｄ１１０）。
【０１１８】
［操作例］
次に、第２実施形態における電子辞書の操作例について、図１８を参照して説明する。
【０１１９】
図１８は、メニューキー１５をキー操作して起動辞書設定モード用のメニューを選択した場合に表示される、起動辞書設定画面の遷移例を示す図である。先ず、図１８（ａ）に示す起動辞書設定画面Ｗ４０−１には、職業を指定する入力ボックスＢ４０及び学校名を指定する入力ボックスＢ４２が配置され、職業及び学校名の指定操作を受け付ける。詳細には、職業を指定するための入力ボックスＢ４０は、例えばプルダウン方式で職業の一覧を提示して該当する項目の選択操作を受け付けるものであり、この入力ボックスＢ４０において職業として“学生”が指定された場合には、続いて、入力ボックスＢ４２において学校名の指定操作を受け付ける。
【０１２０】
図１８（ａ）に示す起動辞書設定画面Ｗ４０−１において、職業及び学校名を入力して訳／決定キー１３をキー操作すると、ＣＰＵ１００により、該当する入力ボックスに入力された文字列を職業８３３及び学校名８３４にそれぞれ設定する処理が実行される（図１７に示すステップｄ６０→ｄ７０）。
【０１２１】
図１８（ｄ）は、ユーザ名、対象者指定キー、職業、学校名、パスワード、及び起動辞書割当情報の各項目に対する指定操作が完了した際に表示更新される起動辞書設定画面Ｗ４０−２の一例を示す図であり、この起動辞書設定画面Ｗ４０−２は、各項目についての設定の確認用に表示される。
【０１２２】
この場合には、ＣＰＵ１００により以下の内部処理が実行される。すなわち、ネットワークＮを介して管理サーバ９ｂに接続し、ユーザ操作により指定された当該使用対象者の職業及び学校名を通知する処理が行われる（図１７に示すステップｄ１００）。そして、ＣＰＵ１００は、当該管理サーバ９ｂから取得した職業及び学校名に応じた推奨辞書データに従って起動辞書割当情報８３６を設定することにより、各辞書起動キー１７のキー操作時に起動する辞書ＤＢを割り当てる処理が行われる（図１７に示すステップｄ１１０）。
【０１２３】
図１８（ｃ）は、前述の図１８（ａ）及び（ｂ）に関する操作を行った使用対象者が現使用対象者に設定された場合であって、英和キー１７ｃに対するキー操作を行った場合に表示される辞書検索画面Ｗ４２の一例を示す図である。図１８（ｃ）に示すように、辞書検索画面Ｗ４２には、各辞書起動キー１７に割り当てられている辞書ＤＢの辞書名が、辞書起動キー１７のキー配列に従って表示される。
【０１２４】
すなわち、図１８（ｂ）に示した起動辞書割当情報の通り、国語キー１７ａに対するキー操作に応じて大○林の辞書ＤＢが、漢和キー１７ｂに対するキー操作に応じて漢和辞典９０６が、英和キー１７ｃに対するキー操作に応じてリー○ース英和辞典の辞書ＤＢが、和英キー１７ｄに対するキー操作に応じてリー○ース和英辞典の辞書ＤＢが、それぞれ起動することとなる。
【０１２５】
以上説明したように、第２実施形態によれば、管理サーバ９ｂに接続し、使用対象者の職業及び学校名に応じた辞書種類毎の推奨辞書を取得することにより、各辞書起動キー１７に、対応する辞書種類の推奨辞書の辞書ＤＢを割り当てることができる。これによれば、辞書起動キー１７に対するキー操作によって、使用対象者の職業及び学校名に応じた辞書ＤＢをワンタッチで起動することができ、電子辞書の使い勝手を向上させることができる。
【０１２６】
（第３実施形態）
次に、電子辞書の第３実施形態について説明する。
【０１２７】
［ＲＡＭ・フラッシュＲＯＭの構成］
図１９（ａ）は、第３実施形態におけるＲＡＭ７００ｃの構成例、（ｂ）は第３実施形態におけるフラッシュＲＯＭ８００ｃの構成例を示す図である。尚、以下では、第１実施形態と同一の構成要素には同一の符号を付してその説明を省略する。図１９（ａ）に示すように、ＲＡＭ７００ｃは、第１実施形態と同様に、現使用対象者格納領域７０２と、検索辞書種別格納領域７０４と、入力文字格納領域７０６とを備えている。
【０１２８】
また、図１９（ｂ）に示すように、フラッシュＲＯＭ８００ｃには、内蔵辞書ＤＢ９００として、広○苑９０２、学習国語辞典９０４、漢和辞典９０６、ジーニ○ス英和辞典９０８、ジーニ○ス和英辞典９１０、ロング○ン英和辞典９１２、ロング○ン和英辞典９１４、・・・といった複数の辞書ＤＢが格納されている。
【０１２９】
さらに、フラッシュＲＯＭ８００ｃには、第３実施形態を実現するため、辞書分類テーブル８１０と、妹用起動辞書データ８４０−１、兄用起動辞書データ８４０−２、及び父用起動辞書データ８４０−３を備えた使用対象者別起動辞書データ８４０と、第３の使用対象者別辞書割当プログラム８５０ｃと、第３の起動時設定プログラム８６０ｃと、辞書検索プログラム８７０とが格納されている。
【０１３０】
使用対象者別起動辞書データ８４０は、第１実施形態と同様に、使用対象者毎に用意され、辞書起動キー１７に対するキー操作時に起動する辞書に関するデータが設定される。図２０は、第３実施形態における使用対象者別起動辞書データ８４０のデータ構成例を示す図である。図２０に示すように、使用対象者別起動辞書データ８４０は、妹用起動辞書データ８４０−１、兄用起動辞書データ８４０−２、及び父用起動辞書データ８４０−３を備え、それぞれ、該当する使用対象者を指定する対象者指定キー８４１、当該使用対象者のユーザ名８４２、当該使用対象者の生年月日８４３、当該使用対象者の学年８４４ａ、ユーザ操作によって生年月日又は学年が入力された入力日付８４４ｂ、当該使用対象者を認証するためのパスワード８４５、及び当該使用対象者用の起動辞書割当情報８４６を記憶する。
【０１３１】
第３の使用対象者別辞書割当プログラム８５０ｃは、第３の使用対象者別辞書割当処理をＣＰＵ１００に実行させるためのプログラムである。具体的には、ＣＰＵ１００は、対象者指定キー、ユーザ名、生年月日、学年、及びパスワードの各項目に対する指定操作を受け付け、指定操作に従って該当する使用対象者用の起動辞書データを更新する。すなわち、第３実施形態では、新たにユーザの生年月日又は学年の入力操作を受け付ける。
【０１３２】
そして、ＣＰＵ１００は、第２実施形態と同様に、管理サーバ９ｂに接続して指定された生年月日又は学年を通知することにより、当該接続した管理サーバ９ｂから指定された生年月日又は学年に応じた推奨辞書データを取得する。そして、ＣＰＵ１００は、取得した推奨辞書データに従って起動辞書割当情報８４６を設定することにより、各辞書起動キー１７のキー操作時に起動する辞書ＤＢを割り当てる。
【０１３３】
第３の起動時設定プログラム８６０ｃは、第３の起動時設定処理をＣＰＵ１００に実行させるためのプログラムである。具体的には、ＣＰＵ１００は、電源オン時にキー操作された辞書起動キー１７に応じて現使用対象者を決定するとともに、使用対象者別起動辞書データ８４０を参照し、現使用対象者用の起動辞書データにパスワードが記憶されている場合には、パスワードの入力を受け付けて使用対象者を認証する処理を行う。
【０１３４】
そして、ＣＰＵ１００は、ユーザ操作によって指定された使用対象者の生年月日又は学年と、当該生年月日又は学年が入力された入力日付と、内蔵時計１０００が計時している現在時刻とに基づいて、現使用対象者が新学年になったと判別した場合には、管理サーバ９ｂに接続して新学年を通知することにより、当該接続した管理サーバ９ｂから新学年に応じた推奨辞書データを取得する。そして、ＣＰＵ１００は、取得した推奨辞書データに従って起動辞書割当情報８４６を更新することにより、各辞書起動キー１７のキー操作時に起動する辞書ＤＢの割り当てを変更する。
【０１３５】
［処理の流れ］
次に、図２１及び図２２を参照して、第３実施形態においてＣＰＵ１００が実行する処理の流れについて説明する。
先ず、第３の使用対象者別辞書割当処理の流れについて、図２１を示すフローチャートを参照して説明する。尚、ここで説明する処理は、ＣＰＵ１００が第３の使用対象者別辞書割当プログラム８５０ｃを読み出して実行することにより実現される。
【０１３６】
図２１に示すように、先ず、使用対象者を指定するための起動キー種別の指定操作を受け付ける（ステップｅ１０）。そして、ＣＰＵ１００は、指定された起動キー種別の辞書起動キーに使用対象者が既に割り振られている場合、すなわち、使用対象者別起動辞書データ８４０が備える何れかの使用対象者用の起動辞書データにおいて、対象者指定キー８４１として当該指定された起動キー種別が設定されている場合には（ステップｅ２０：ＹＥＳ）、変更の許否を確認するメッセージを表示し（ステップｅ３０）、変更が許可された場合に（ステップｅ４０：ＹＥＳ）、ステップｅ５０に移行する。
【０１３７】
ステップｅ５０では、当該使用対象者のユーザ名の指定操作を受け付けて、ユーザ名８４２を設定する。
【０１３８】
次に、当該使用対象者の生年月日の指定操作を受け付けて生年月日８４３を設定し（ステップｅ６０）、続いて学年の指定操作を受け付けて、指定された場合には学年８４４ａを設定する（ステップｅ７０）。そして、内蔵時計１０００が計時する現在時刻を取得して入力日付８４４ｂを設定する（ステップｅ７５）。
【０１３９】
次に、パスワードの指定操作を受け付けて、指定された場合には（ステップｅ８０）、パスワード８４５を設定する（ステップｅ９０）。
【０１４０】
続いて、ＣＰＵ１００は、管理サーバ９ｂに接続し、ステップｅ６０で指定された生年月日及びステップｅ７０で指定された学年を通知する（ステップｅ１００）。これに応答して、管理サーバ９ｂでは、通知された生年月日をもとに、推奨辞書情報９０から辞書種類毎の推奨辞書を読み出して推奨辞書データを作成し、電子辞書に送信する処理が行われる。或いは、管理サーバ９ｂでは、学年が通知された場合には、当該学年をもとに、推奨辞書情報９０から辞書種類毎の推奨辞書を読み出して推奨辞書データを作成し、電子辞書に送信する処理が行われる。この推奨辞書データには、第２実施形態と同様に、例えば、“国語”、“漢和”、“英和”、及び“和英”の各辞書種類と、対応する辞書起動キー１７がキー操作された際に起動する辞書ＤＢとの対応関係が設定される。
【０１４１】
そして、ＣＰＵ１００は、当該管理サーバ９ｂから取得した推奨辞書データに従って起動辞書割当情報８４６を設定することにより、各辞書起動キー１７のキー操作時に起動する辞書ＤＢを割り当てる（ステップｅ１１０）。
【０１４２】
次に、第３の起動時設定処理の流れについて、図２２に示すフローチャートを参照して説明する。尚、ここで説明する処理は、ＣＰＵ１００が第３の起動時設定プログラム８６０ｃを読み出して実行することにより実現されるものであり、以下では、第１実施形態において図８に示して説明した第１の起動時設定処理と同様の処理工程には、同一の符号を付して説明は省略する。
【０１４３】
ＣＰＵ１００は、ステップｂ７０において入力されたパスワードをもとに使用対象者本人の認証を行った結果、パスワードが認証・照合された場合には（ステップｂ８０：ＹＥＳ）、続いて、現使用対象者用の起動辞書データに設定された生年月日８４３又は学年８４４ａと、当該生年月日８４３又は学年８４４ａと対応付けて設定された入力日付８４４ｂと、内蔵時計１０００が計時している現在時刻とに基づいて、現使用対象者が新学年になったか否かを判別する。そして、ＣＰＵ１００は、現使用対象者が新学年に進級したと判別した場合には（ステップｆ９０：ＹＥＳ）、管理サーバ９ｂに接続し、新学年を通知する（ステップｆ１００）。これに応答して、管理サーバ９ｂでは、通知された新学年をもとに、推奨辞書情報９０から辞書種類毎の推奨辞書を読み出して推奨辞書データを作成し、電子辞書に送信する処理が行われる。
【０１４４】
そして、ＣＰＵ１００は、当該管理サーバ９ｂから取得した推奨辞書データに従って起動辞書割当情報８４６を設定することにより、各辞書起動キー１７のキー操作時に起動する辞書ＤＢの割り当てを変更する（ステップｆ１１０）。続いて、ＣＰＵ１００は、現使用対象者用の起動辞書データの学年８４４ａを更新し（ステップｆ１２０）、各辞書起動キー１７のキー操作時に起動する辞書ＤＢの割り当てを変更したことをメッセージ表示する制御を行って（ステップｆ１３０）、本処理を終了する。
【０１４５】
［操作例］
次に、第３実施形態における電子辞書の操作例について説明する。図２３及び図２４は、第２実施形態における電子辞書の備える表示装置３００に表示される画面の遷移例を示す図である。
【０１４６】
図２３は、メニューキー１５をキー操作して起動辞書設定モード用のメニューを選択した場合に表示される、起動辞書設定画面の遷移例を示す図である。先ず、図２３（ａ）に示す起動辞書設定画面Ｗ５０−１には、生年月日を指定する入力ボックスＢ５０及び学年を指定する入力ボックスＢ５２が配置され、生年月日及び学年の指定操作を受け付ける。
【０１４７】
図２３（ａ）に示す起動辞書設定画面Ｗ５０−１において、生年月日及び学年を入力して訳／決定キー１３をキー操作すると、ＣＰＵ１００により以下の内部処理が実行される。すなわち、該当する入力ボックスに入力された文字列を生年月日８４３及び学年８４４ａにそれぞれ設定する処理が実行される（図２１に示すステップｅ６０→ｅ７０）。また生年月日又は学年が入力された際には、内蔵時計１０００が計時する現在時刻を取得して入力日付８４４ｂに設定する処理が実行される（図２１に示すステップｅ７５）。
【０１４８】
図２３（ｂ）は、ユーザ名、生年月日、学年、対象者指定キー、パスワード、及び起動辞書割当情報の各項目に対する指定操作が完了した際に表示更新される起動辞書設定画面Ｗ５０−２の一例を示す図であり、起動辞書設定画面Ｗ５０−２は、各項目についての設定の確認用に表示される。
【０１４９】
この場合には、ＣＰＵ１００により以下の内部処理が実行される。すなわち、ネットワークＮを介して管理サーバ９ｂに接続し、ユーザ操作により指定された当該使用対象者の生年月日及び学年を通知する処理が行われる（図２１に示すステップｅ１００）。そして、ＣＰＵ１００は、当該管理サーバ９ｂから取得した生年月日及び学年に応じた推奨辞データに従って起動辞書割当情報８４６を設定することにより、各辞書起動キー１７のキー操作時に起動する辞書ＤＢを割り当てる処理が行われる（図２１に示すステップｅ１１０）。
【０１５０】
図２３（ｃ）は、前述の図２３（ａ）及び（ｂ）に関する操作を行った使用対象者が現使用対象者に設定された場合であって、英和キー１７ｃに対するキー操作を行った場合に表示される辞書検索画面Ｗ５２の一例を示す図である。図２３（ｃ）に示すように、辞書検索画面Ｗ５２には、各辞書起動キー１７に割り当てられている辞書ＤＢの辞書名が、辞書起動キー１７のキー配列に従って表示される。
【０１５１】
すなわち、図２３（ｂ）に示した起動辞書割当情報の通り、国語キー１７ａに対するキー操作に応じて学習国語辞典９０４が、漢和キー１７ｂに対するキー操作に応じて漢和辞典９０６が、英和キー１７ｃに対するキー操作に応じてリー○ース英和辞典の辞書ＤＢが、和英キー１７ｄに対するキー操作に応じてリー○ース和英辞典の辞書ＤＢが、それぞれ起動することとなる。
【０１５２】
また、前述の図２３に関する操作を行った使用対象者が中学校から高等学校に進級して学年が新学年となった場合には、図２４（ａ）に示すように、新学年及び起動辞書割当情報の各項目に対する変更を確認するための起動辞書変更画面が表示される。
【０１５３】
この場合には、ＣＰＵ１００により以下の内部処理が実行される。すなわち、先ず、ユーザ操作によって指定された使用対象者の生年月日又は学年と、当該生年月日又は学年が入力された入力日付と、内蔵時計１０００が計時している現在時刻とに基づいて、現使用対象者が新学年になったと判別した場合に、ネットワークＮを介して管理サーバ９ｂに接続して新学年を通知する処理が行われる（図２２に示すステップｆ９０（ＹＥＳ）→ｆ１００）。そして、当該管理サーバ９ｂから取得した新学年に応じた推奨辞書データに従って起動辞書割当情報８４６を設定することにより、各辞書起動キー１７のキー操作時に起動する辞書ＤＢを割り当てる処理が行われる（図２２に示すステップｆ１１０）。続いて、現使用対象者用の起動辞書データの学年８４４ａを更新して、各辞書起動キー１７のキー操作時に起動する辞書ＤＢの割り当てを変更したことをメッセージ表示する制御が行われる（図２２に示すステップｆ１２０→ｆ１３０）。
【０１５４】
図２４（ｂ）は、前述のように新学年となった使用対象者が現使用対象者に設定された場合であって、英和キー１７ｃに対するキー操作を行った場合に表示される辞書検索画面Ｗ６２の一例を示す図である。図２４に示すように、辞書検索画面Ｗ６２には、各辞書起動キー１７に割り当てられている辞書ＤＢの辞書名が、辞書起動キー１７のキー配列に従って表示される。
【０１５５】
すなわち、図２４（ａ）に示した起動辞書割当情報の通り、国語キー１７ａに対するキー操作に応じて広○苑９０２が、漢和キー１７ｂに対するキー操作に応じて漢和辞典９０６が、英和キー１７ｃに対するキー操作に応じてジーニ○ス英和辞典の辞書ＤＢが、和英キー１７ｄに対するキー操作に応じてジーニ○ス和英辞典の辞書ＤＢが、それぞれ起動することとなる。
【０１５６】
以上説明したように、第３実施形態によれば、管理サーバ９ｂに接続し、使用対象者の生年月日及び学年に応じた辞書種類毎の推奨辞書を取得することにより、各辞書起動キー１７に、対応する辞書種類の推奨辞書の辞書ＤＢを割り当てることができる。そして、ユーザ操作によって指定された使用対象者の生年月日又は学年と、当該生年月日又は学年が入力された入力日付と、内蔵時計１０００が計時している現在時刻とに基づいて、現使用対象者が新学年になったと判別した場合には、管理サーバ９ｂに接続し、新学年に応じた推奨辞書を取得することにより、各辞書起動キー１７に、対応する辞書種類の推奨辞書の辞書ＤＢを割り当てることができる。
【０１５７】
したがって、辞書起動キー１７に対するキー操作によって、使用対象者の生年月日及び学年に応じた辞書ＤＢをワンタッチで起動することができ、電子辞書の使い勝手を向上させることができる。
【０１５８】
以上、本発明の好適な３つの実施形態について、本発明の情報表示制御装置を携帯型電子辞書に適用した場合について説明したが、本発明を適用可能な製品はこのような製品に限定されるものではなく、携帯電話、パソコン、電子時計等の電子機器全般に適用可能である。
【０１５９】
また、上記した実施形態では、使用対象者毎に、ユーザ操作に従って各辞書起動キー１７がキー操作された際に起動する辞書ＤＢを割り当てる場合について説明したが、以下のようにしてもよい。すなわち、予め、辞書起動キー１７によって指定される使用対象者として、例えば“一般”、“大学生”、“高校生”、“中学生”、“小学生”等を適宜割り振っておくとともに、当該使用対象者毎に、各辞書起動キー１７がキー操作された際に起動する辞書ＤＢを割り当てておくこととしてもよい。
【０１６０】
また、上記した実施形態では、本人認証の機能を実現するため、パスワードの入力を受け付けることとしたが、これに限らず、適宜公知の本人認証技術を利用することとしてもよい。例えば、電子辞書１本体に、使用対象者を指紋により特定する指紋認証装置を備えた構成とし、当該指紋認証装置により取得した指紋画像と、予めフラッシュＲＯＭ８００内に記憶させておいた使用対象者の指紋の画像データとを比較して、本人認証を行うこととしてもよい。
【図面の簡単な説明】
【０１６１】
【図１】電子辞書の斜視概観図の一例を示す図。
【図２】電子辞書の機能構成の一例を示すブロック図。
【図３】第１実施形態におけるＲＡＭの構成（ａ）、及びフラッシュＲＯＭの構成（ｂ）の一例を示す図。
【図４】広○苑の辞書ＤＢの蓄積形式の一例を示す図。
【図５】辞書分類テーブルのデータ構成例を示す図。
【図６】第１実施形態における使用対象者別起動辞書データのデータ構成例を示す図。
【図７】第１の使用対象者別辞書割当処理の流れの一例を示すフローチャート。
【図８】第１の起動時設定処理の流れの一例を示すフローチャート。
【図９】辞書検索処理の流れの一例を示すフローチャート。
【図１０】第１実施形態における表示画面の一例を示す図。
【図１１】第１実施形態における表示画面の一例を示す図。
【図１２】第１実施形態における表示画面の一例を示す図。
【図１３】第１実施形態における表示画面の一例を示す図。
【図１４】第２実施形態におけるＲＡＭの構成（ａ）、及びフラッシュＲＯＭの構成（ｂ）の一例を示す図。
【図１５】第２実施形態における使用対象者別起動辞書データのデータ構成例を示す図。
【図１６】管理サーバが有する推奨辞書情報のデータ構成例を示す図。
【図１７】第２の使用対象者別辞書割当処理の流れの一例を示すフローチャート。
【図１８】第２実施形態における表示画面の一例を示す図。
【図１９】第３実施形態におけるＲＡＭの構成（ａ）、及びフラッシュＲＯＭの構成（ｂ）の一例を示す図。
【図２０】第３実施形態における使用対象者別起動辞書データのデータ構成例を示す図。
【図２１】第３の使用対象者別辞書割当処理の流れの一例を示すフローチャート。
【図２２】第３の起動時設定処理の流れの一例を示すフローチャート。
【図２３】第３実施形態における表示画面の一例を示す図。
【図２４】第３実施形態における表示画面の一例を示す図。
【符号の説明】
【０１６２】
１                    電子辞書
１００              ＣＰＵ
２００              入力装置
３００              表示装置
４００              通信装置
５００              伝送制御装置
６００              カードスロット
６５０            メモリカード
７００（７００ａ）  ＲＡＭ
７０２            現使用対象者格納領域
７０４            検索辞書種別格納領域
７０６            入力文字格納領域
８００（８００ａ）  フラッシュＲＯＭ
９００            内蔵辞書ＤＢ
９０２          広○苑
９０４          学習国語辞典
９０６          漢和辞典
９０８          ジーニ○ス英和辞典
９１０          ジーニ○ス和英辞典
９１２          ロング○ン英和辞典
９１４          ロング○ン和英辞典
８１０            辞書分類テーブル
８２０            使用対象者別起動辞書データ
８２０−１      妹用起動辞書データ
８２０−２      兄用起動辞書データ
８２０−３      父用起動辞書データ
８５０ａ          第１の使用対象者別辞書割当プログラム
８６０ａ          第１の起動時設定プログラム
８７０            辞書検索プログラム
Ｎ                    通信回線
９ａ                辞書サーバ
９ｂ                管理サーバ
【図１】
2006091992.tif 000003
【図２】
2006091992.tif 000004
【図３】
2006091992.tif 000005
【図４】
2006091992.tif 000006
【図５】
2006091992.tif 000007
【図６】
2006091992.tif 000008
【図７】
2006091992.tif 000009
【図８】
2006091992.tif 000010
【図９】
2006091992.tif 000011
【図１０】
2006091992.tif 000012
【図１１】
2006091992.tif 000013
【図１２】
2006091992.tif 000014
【図１３】
2006091992.tif 000015
【図１４】
2006091992.tif 000016
【図１５】
2006091992.tif 000017
【図１６】
2006091992.tif 000018
【図１７】
2006091992.tif 000019
【図１８】
2006091992.tif 000020
【図１９】
2006091992.tif 000021
【図２０】
2006091992.tif 000022
【図２１】
2006091992.tif 000023
【図２２】
2006091992.tif 000024
【図２３】
2006091992.tif 000025
【図２４】
2006091992.tif 000026